(57)【要約】【課題】ベースと、アームと、アーム間に張設された弾性膜と、フィンを遊泳者の足に取り付ける要素と、を含む、折り畳み式水泳用フィン。【解決手段】可撓性膜（３）の対向する２つの縁部（１及び２）は、それぞれ一方の弾性ストリップ（５）に取り付けられる。可撓性膜（３）は、プラスチック材料、好ましくは、繊維強化プラスチック材料から作製される。本発明の好ましい変更形態は、耐久性のある繊維により織られた膜である。ストリップ（５）は、ヒンジ（７）によって互いに接続された一対のビームに含まれる、ベースの剛性ビーム（６）に取り付けられ、ヒンジ（７）は、ストリップ（５）の取り付け位置とは反対側のビーム端部からビーム（６）の長さの０〜１／３の距離に配置される。
2016514994.tif 000002
【特許請求の範囲】
【請求項１】
ベースと、アームと、前記アーム間に張設された弾性膜と、フィンを遊泳者の足に取り付ける要素と、を含む、折り畳み式水泳用フィンであって、
前記可撓性膜（３）の対向する２つの縁部（１及び２）は、それぞれ一方の弾性ストリップ（５）に取り付けられ、
前記ストリップ（５）は、ヒンジ（７）によって互いに接続された一対のビームに含まれる、前記ベースの剛性ビーム（６）に取り付けられ、
前記ヒンジ（７）は、前記ストリップ（５）の取り付け位置とは反対側の前記ビーム端部から前記ビーム（６）の長さの０〜１／３の距離に配置され、
前記ビーム（６）の互いに対する位置は、前記ビーム（６）の外側端部付近に位置する閉塞部（８）によって決定され、
前記膜（３）の他の２つの縁部は、固定されないままであることを特徴とする、
折り畳み式水泳用フィン。
【請求項２】
前記ヒンジ（７）は、前記ビーム（６）の内側に配置されることを特徴とする、請求項１に記載のフィン。
【請求項３】
前記ヒンジ（７）は、関節ヒンジであることを特徴とする、請求項１に記載のフィン。
【請求項４】
前記ヒンジ（７）は、一軸ヒンジであることを特徴とする、請求項１に記載のフィン。
【請求項５】
前記閉塞部（８）は、前記膜（３）に対する張力調整部を構成することを特徴とする、請求項１に記載のフィン。
【請求項６】
前記フィンは、前記フィンの受け面を変化させる、前記膜（３）の巻き取り軸（９）を備えることを特徴とする、請求項１に記載のフィン。
【請求項７】
前記一対のストリップのうちの一方の前記ストリップ（５）は、前記ストリップの長手方向軸の周りにおける、前記ストリップの自由な回転が確保されるように、前記ベースビーム（６）に取り付けられ、前記膜（３）の前記巻き取り軸（９）を構成することを特徴とする、請求項６に記載のフィン。
【請求項８】
前記巻き取り軸（９）は、前記ヒンジ（７）に取り付けられることを特徴とする、請求項６に記載のフィン。
【請求項９】
工具を取り付けるための装着レール（１０）が、前記ビーム（６）に取り付けられることを特徴とする、請求項１に記載のフィン。
【請求項１０】
前記装着レール（１０）の外側表面は、歩行時の滑り止め要素を構成する粗い表面を有することを特徴とする、請求項９に記載のフィン。
【請求項１１】
前記可撓性膜（３）は、プラスチック材料、好ましくは、繊維強化プラスチック材料から作製されることを特徴とする、請求項１に記載のフィン。
【請求項１２】
前記膜（３）を強化する前記繊維は、ガラス、ポリアミド、ケブラー、炭素繊維、アラミド繊維からなる繊維群から選択されることを特徴とする、請求項１１に記載のフィン。
【請求項１３】
前記膜（３）は、織繊維から作製されることを特徴とする、請求項１に記載のフィン。
【請求項１４】
前記弾性ストリップ（５）は、プラスチック材料から作製されることを特徴とする、請求項１に記載のフィン。
【請求項１５】
前記弾性ストリップ（５）は、樹脂で結合された繊維の複合材から作製されることを特徴とする、請求項１４に記載のフィン。
【請求項１６】
前記ストリップ（５）の前記繊維は、ガラス、ポリアミド、ケブラー、炭素繊維、アラミド繊維からなる繊維群から選択されることを特徴とする、請求項１５に記載のフィン。
【請求項１７】
前記ストリップ（５）は、矩形断面を有することを特徴とする、請求項１に記載のフィン。
【請求項１８】
前記ストリップの厚さが前記ストリップ（５）と前記ベースビーム（６）の接続位置において最大となり、前記ベースビームの反対側の前記ストリップ端部において最小となるように、前記ストリップ（５）の前記断面が、前記ストリップの長手方向軸に沿って変化することを特徴とする、請求項１７に記載のフィン。
【請求項１９】
前記膜（３）は、等脚台形の形状を有することを特徴とする、請求項１に記載のフィン。
【請求項２０】
１つのフィンの前記一対のストリップの、前記ストリップ（５）は、同一の長さを有することを特徴とする、請求項１に記載のフィン。
【請求項２１】
前記一対のストリップの、前記ストリップ（５）は、異なる長さを有することを特徴とする、請求項１に記載のフィン。
【請求項２２】
長い方の前記ストリップ（５）は、前記ストリップ（５）の長手方向軸に平行な回転軸を有するシャフト（１１）を介して前記ベースビーム（６）に取り付けられることを特徴とする、請求項１に記載のフィン。
【請求項２３】
水中作業に必要な工具が、前記工具がスライド動作により分離され得るように、前記装着レール（１０）に装着されることを特徴とする、請求項１に記載のフィン。
【請求項２４】
前記装着レール（１０）に装着された際、前記工具は、ラッチ閉塞部によって、偶発的にスライドして外れることから防がれることを特徴とする、請求項１に記載のフィン。
【請求項２５】
前記閉塞部（８）は、一方の端部が一方の前記ベースビーム（６）に、他方の端部が卵型開口部（１３）を通って他方の前記ビーム（６）に、関節式に取り付けられるボルト（１２）により構成され、かつ、係止部（１４）、好ましくは、ナット又はノブにより固定されることを特徴とする、請求項１に記載のフィン。
【請求項２６】
前記ベースビーム（６）は、矩形断面の管形状を有することを特徴とする、請求項１に記載のフィン。
【請求項２７】
前記ベースビーム（６）は、楕円形様断面の管形状を有することを特徴とする、請求項１に記載のフィン。
【請求項２８】
前記ベースビーム（６）は、鋼、アルミニウム、チタン、炭素−樹脂複合材、ＡＢＳからなる群から選択されるプラスチック材料から作製されることを特徴とする、請求項２６又は２７に記載のフィン。
【発明の詳細な説明】
【技術分野】
【０００１】
本発明の対象は、娯楽としての水泳、スポーツとしての水泳、又は水中作業に対して使用される折り畳み式水泳用フィンである。
【０００２】
フィンは、水泳補助具、具体的には、潜水補助具として、多年にわたり使用されてきた。フィンの構成は、意図する用途によって主に規定される。潜水者の水中での位置を正確に維持するために使用される水中作業用のフィンは、高速遊泳用のフィン、又は深く潜るためのフィンとは異なる構成を有する。しかしながら、プラスチック又はゴムから作製された単体構造のものが一般的である。これらの場合においては、特にフィンを使用場所に輸送する際に、フィンの重量並びに大きさが大きな問題となる。
【０００３】
米国特許出願第４２５０５８４号から、折り畳み式の、軽量水泳用フィンが既知である。このフィンは、枠部に枢動可能に接続された引張部材により固さを高められる枠部からなる。この引張部材は、フィンを選択的に位置決めして、張設するか、又は折り畳むために使用される。枠部は、２つの半剛性要素からなり、これらはそれぞれ３つの別個の要素に分割される。第１の要素は、足に沿って位置し、足に対してフィンを取り付けるように意図され、第２の要素は、足に取り付ける要素を第３の要素に接続し、第３の要素は、足の縁部に対して実質的に平行である。枠部の第３の要素間には、枠部の対称的な要素間で、折り畳み式突っ張り部により張設された弾性材料のシートが位置する。
【０００４】
米国特許出願第４９５２１８３号から、遊泳者の脚に適用する折り畳み式フィンが既知である。このフィンは、二等辺三角形状の枠部からなり、この二等辺三角形の等辺は、枠部のかかと部（ｈｅｅｌ）における端部において、及び、枠部の三角形の第３の辺を構成する折り畳み式要素によって、互いに関節式に接続される。三角形枠部の側方の等辺間には布が取り付けられ、この布は、展開後の枠部の三角形の第３の辺に取り付けられる。
【０００５】
米国特許出願第４２６４９９４号から、遊泳時に表面を変化させ得る、手及び足用フィンが既知である。このフィンは、少なくとも２本のリブ間に張設された弾性膜からなる。突っ張り用リブは、遊泳者の足に取り付けられるように意図されたフィンの一部に関節式に取り付けられる。リブを取り付けるための関節接合部は、ばねを備える。フィンの一方の側に負荷がかかったときには、このばねが、リブを曲げさせ、一方で、反対の方向に動いたときには、閉塞部が、表面が変化することを防ぐ。
【発明の概要】
【発明が解決しようとする課題】
【０００６】
本発明の対象は、ベースと、アームと、アーム間に張設された弾性膜と、フィンを遊泳者の足に取り付ける要素と、を含む、折り畳み式水泳用フィンである。
【課題を解決するための手段】
【０００７】
可撓性膜（３）の対向する２つの縁部（１及び２）は、それぞれ一方の弾性ストリップ（５）に取り付けられる。可撓性膜（３）は、プラスチック材料、好ましくは、繊維強化プラスチック材料から作製される。
【発明を実施するための形態】
【０００８】
本発明の好ましい変更形態は、耐久性のある繊維により織られた膜である。膜（３）は、繊維、好ましくは、炭素繊維及び／又はケブラー繊維、及び／又はガラス繊維、及び／又はポリアミド繊維、及び／又はアラミド繊維により強化される。ストリップ（５）は、ヒンジ（７）によって互いに接続された一対のビームに含まれる、ベースの剛性ビーム（６）に取り付けられ、ヒンジ（７）は、ストリップ（５）の取り付け位置とは反対側のビーム端部からビーム（６）の長さの０〜１／３の距離に配置される。ヒンジ（７）は、関節ヒンジ（ａｒｔｉｃｕｌａｔｉｎｇ  ｈｉｎｇｅ）であってもよい。また、ヒンジ（７）は、一軸ヒンジとして、ビーム（６）のプロファイルの内側に配置されてもよい。好ましくは、ベースビーム（６）は、矩形断面又は楕円形断面の管形状を有する。ベースビーム（６）は、プラスチック、又は鋼、若しくはアルミニウム、若しくはチタン、又は樹脂で結合されたガラス、ポリアミド、ケブラー、若しくはアラミド繊維の複合材から作製される。
【０００９】
ベースビーム（６）の互いに対する位置は、ベースビーム（６）の外側端部付近に位置する閉塞部（８）によって決定され、膜（３）の他の２つの縁部は、固定されないままである。また、閉塞部（８）を使用して、膜（３）の張力を調節する。場合によっては、フィンの受け面（ｂｅａｒｉｎｇ  ｓｕｒｆａｃｅ）を変化させるために、ストリップ（５）間において、ヒンジ（７）に対して巻き取り軸（９）が、取り付けられる。好ましくは、一対のストリップのうちの一方のストリップ（５）が、その長手方向軸の周りにおけるストリップの自由な回転が確保されるように、ベースビーム（６）に取り付けられた場合、これによって、フィンの受け面を変化させるための巻き取り軸（９）が構成される。ベースビーム（６）に沿って、フィンと遊泳者の脚とが接触する側と反対の側から、工具を取り付けるための装着レール（１０）が取り付けられる場合もある。水中作業に必要な工具が、この工具がスライド動作により分離され得るように、装着レール（１０）に装着される。装着レール（１０）に装着された際、工具は、ラッチ閉塞部によって、偶発的にスライドして外れることから防がれる。弾性ストリップ（５）は、プラスチック、又は樹脂で結合された繊維の複合材から作製される。ストリップ（５）の繊維は、ガラス、ポリアミド、ケブラー、炭素繊維、又はアラミド繊維からなる繊維群から選択される。
【００１０】
好ましくは、ストリップ（５）は、矩形断面を有する。ストリップ（５）の断面は、ストリップ（５）の長手方向軸に沿って一定である。本発明の他の変更形態においては、ストリップの厚さがストリップ（５）とベースビーム（６）の接続位置において最大となり、ベースビームの反対側のストリップ端部において最小となるように、ストリップ（５）の断面が、ストリップの長手方向軸に沿って変化する。一具体例においては、膜（３）は、同じ長さのストリップ（５）間で張り渡された等脚台形の形状を有する。
他の変更形態においては、一対のストリップの各ストリップ（５）は、異なる長さを有し、膜（３）は、少なくとも２本の真っ直ぐな辺を有する形状である。
【００１１】
ストリップ（５）は、ストリップ（５）の長手方向軸に平行な回転軸を有する、回転するドラム部（１１）を介して、ベースビーム（６）に取り付けられてもよい。フィンの動作形態の閉塞部（８）は、一方の端部が一方のベースビーム（６）に、他方の端部が卵型開口部（１３）を通って他方のビーム（６）に、関節式に取り付けられるボルト（１２）により構成され、かつ、係止部（１４）、好ましくは、ナット又はノブにより固定される。本発明に係るフィンは、軽量であり、膜アームの関節接続により、輸送時（特に遠方の潜水場所への輸送時）にフィンを折り畳むことが可能である。また、フィンが軽量であり、かつ折り畳み可能であることにより、特に軍事潜水用途で、進軍の際に軍事装備が構成しやすくなる。同一の長さ、又は異なる長さのストリップを使用することにより、フィンを、様々な遊泳様式に適合させることが可能である。ストリップ用の材料、その断面、及び弾性を適切に選択することにより、意図される用途（即ち、フィンを、娯楽としての水泳に使用するつもりなのか、水中作業にて使用するつもりなのか、又は高速遊泳に使用するつもりなのかということ）のために、フィンのパラメータを調節しやすくなる。遊泳者の脚の動きによるエネルギーは、フィンの弾性に応じた様式で、周囲の水に与えられる。フィンがより硬ければ、遊泳速度はより速くなる。このフィン構成により、受け面の変化と、遊泳者により行われる作業への適合化が可能となる。
【００１２】
本発明の対象は、図中の実施形態に示されており、図１は、本フィンの基本的な形態を示し、図２は、異なる長さのストリップ５を使用したフィンの変更形態を示し、図３は、ストリップにおいて膜巻き取り部を有するフィンの変更形態を示し、図４は別個の膜巻き取り部を有するフィンの部分図を示し、図５は、工具を取り付けるためのレールを有するフィンの投影図を示し、図６は、掘削工具が取り付けられたフィンを示し、図７は、のこぎりが取り付けられたフィンを示し、図８は、一軸ヒンジを有し、ベースのビームが切断されたフィンの投影図を示す。
【００１３】
実施例１
ベースビーム６は、四角い断面のアルミニウムプロファイルから作製され、かつビームの端部から１／１０の距離に位置するヒンジ７によって、関節式に互いに接続されている。ヒンジ７は、剛性ピン１７で構成され、剛性ピン１７の両端部は、ベースビーム６において垂直に取り付けられた軸棒１６に装着されている。フィンを使用形態へと展開した後の、ビーム位置の閉塞部８が、ビーム６の端部付近に配置される。閉塞部は、ビーム６に関節式に取り付けられたボルト１２により構成され、かつ他のビーム６の卵型開口部１３を通過する。各ビーム６に対して、炭素繊維複合材及びポリエステル樹脂から作製される弾性ストリップ５が、取り外し可能に取り付けられる。各ストリップ５は、同一の長さを有し、長さ全体に沿って一様な断面を有する。膜３の正台形（ｒｅｇｕｌａｒ  ｔｒａｐｅｚｉｕｍ）の脚は、各ストリップに取り付けられる。ベースビーム６間には、フィンを遊泳者の脚に取り付けるための帯１７が張り渡される。膜３を、適切な表面を有するものへと置き換えることにより、フィンの受け面を変化させることができ、これは、実際には、より短い底辺と、長さが不変の台形の脚を有する膜を使用することを意味する。また、受け面の変化は、ベースビーム６から一方のストリップ５を分離し、膜３の余分な部分をストリップ上に巻き取り、ストリップ５をベースビーム６に再度取り付けることによって行うこともできる。フィンの使用位置においては、閉塞部８により、膜３の張設が可能となる。
【００１４】
実施例２
異なる長さのストリップ５、及び不規則形状の膜３を使用するフィン。ベースビーム６は、四角い断面のアルミニウムプロファイルから作製され、かつビームの端部から１／１０の距離に位置するヒンジ７によって、関節式に互いに接続されている。ヒンジ７は、剛性ピン１７で構成され、剛性ピン１７の両端部は、ベースビーム６において垂直に取り付けられた軸棒１６に装着されている。フィンを使用形態へと展開した後の、ビーム位置の閉塞部８が、ビーム６の端部付近に配置される。閉塞部は、ビーム６に関節式に取り付けられたボルト１２により構成され、かつ他のビーム６の卵型開口部１３を通過する。各ビーム６に対して、炭素繊維複合材及びポリエステル樹脂から作製される弾性ストリップ５が、取り外し可能に取り付けられる。各ストリップ５は、異なる長さを有し、長さ全体に沿って一様な断面を有する。膜３の四辺形の脚は、各ストリップに取り付けられる。ベースビーム６間には、フィンを遊泳者の脚に取り付けるための帯１７が張り渡される。膜３を、適切な表面を有するものへと置き換えることにより、フィンの受け面を変化させることができ、これは、実際には、より短い底辺と、長さが不変の台形の脚を有する膜を使用することを意味する。また、受け面の変化は、ベースビーム６から長い方のストリップ５を分離し、膜３の余分な部分をストリップ上に巻き取り、ストリップ５をベースビーム６に再度取り付けることによって行うこともできる。フィンの使用位置においては、閉塞部８により、膜３の張設が可能となる。
【００１５】
実施例３
四角い断面のチタンプロファイルから作製されたフィンのベースビーム６は、ビームの端部から１／１０の距離に位置するヒンジ７によって、互いに関節式に接続されている。ヒンジ７は、剛性ピン１７で構成され、剛性ピン１７の両端部は、ベースビーム６において垂直に取り付けられた軸棒１６に装着されている。フィンを使用形態へと展開した後の、ビーム位置の閉塞部８が、ビーム６の端部付近に配置される。閉塞部は、ビーム６に関節式に取り付けられたボルト１２により構成され、かつ他のビーム６の卵型開口部１３を通過する。一対のストリップのうちの一方のストリップ５は、その長手方向軸の周りにおけるストリップの自由な回転が確保されるように、ベースビーム６に取り付けられ、膜３の巻き取り軸９を構成し、ベースビーム６は、チタンプロファイルの延長部において、ストリップ５のブラケット２０の前壁に位置する回転シャフト１１を配置するためのシーティング１９を備える。回転シャフト１１は、その周囲に、ストリップ５を位置決めするためのラッチ要素１８を備える。ストリップ５は同一の長さを有する。ストリップ５の厚さは、ストリップ５の長手方向軸に沿って減少する。膜３の正台形の脚は、各ストリップに取り付けられる。ベースビーム６間には、フィンを遊泳者の脚に取り付けるための帯１７が張り渡される。シャフト１１でのストリップ５の回転によって、フィンの受け面を変化させることができる。フィンの使用位置においては、閉塞部８により、膜３の張設が可能となる。
【００１６】
実施例４
別個の膜巻き取り部を有するフィン。ベースビーム６は、四角い断面のチタンプロファイルから作製され、かつビームの端部から１／１０の距離に位置するヒンジ７によって、関節式に互いに接続されている。ヒンジ７は、剛性ピン１７で構成され、剛性ピン１７の両端部は、ベースビーム６において垂直に取り付けられた軸棒１５に装着されている。フィンを使用形態へと展開した後の、ビーム位置の閉塞部８が、ビーム６の端部付近に配置される。各ビーム６に対して、ガラス繊維複合材及びポリエステル樹脂から作製される弾性ストリップ５が、取り付けられる。巻き取り軸９の軸棒２１は、ピン１５に対して垂直に取り付けられる。膜３の正台形の脚は、各ストリップに取り付けられる。ベースビーム６間には、フィンを遊泳者の脚に取り付けるための帯１７が張り渡される。軸棒２１での巻き取り軸９の回転によって、フィンの受け面を変化させることができる。フィンの使用位置においては、閉塞部８により、膜３の張設が可能となる。
【００１７】
実施例５
前述の実施例のうちの任意のものに係るフィンは、フィンの遊泳者の足への取り付けとは反対の側から、ビーム６に取り付けられた、矩形断面の管形状のレール１０を有する。レール１０の外側表面は、特に滑りやすい地面上における歩行を容易にする表面を構成する、溝２２に覆われている。
【００１８】
実施例６
実施例６に係るフィンは、レール１０内へ挿入された掘削工具２３の矩形ハンドルを有する。
【００１９】
実施例７
実施例７に係るフィンは、レール１０内へ挿入されたのこぎり２４の矩形ハンドルを有する。
【００２０】
実施例８
ベースビーム６は、四角い断面のアルミニウムプロファイルから作製され、かつビームの縁部に位置する切断ヒンジ（ｂｒｏｋｅｎ  ｈｉｎｇｅ）７によって、互いに接続されている。このヒンジは、回転軸を１つ有する。各ビーム６に対して、炭素繊維複合材及びポリエステル樹脂から作製される弾性ストリップ５が、取り外し可能に取り付けられる。各ストリップ５は、同一の長さを有し、長さ全体に沿って一様な断面を有する。膜３の正台形の脚は、各ストリップに取り付けられる。
【図１】
2016514994.tif 000003
【図２】
2016514994.tif 000004
【図３】
2016514994.tif 000005
【図４】
2016514994.tif 000006
【図５】
2016514994.tif 000007
【図６】
2016514994.tif 000008
【図７】
2016514994.tif 000009
【図８】
2016514994.tif 000010
【国際調査報告】
2016514994.tif 000011
2016514994.tif 000012
2016514994.tif 000013